(57)【要約】【課題】嵩高感があり吸収性に優れ、さらには美粧性をも備えるエンボス付与シート製品を提供する。【解決手段】ライン状の突合エンボスで形成されて区画単位毎に、マイクロエンボス付与範囲と非付与範囲とが分けられているエンボス付与シート製品により解決される。【選択図】図１
2006280616.tif 000002
【特許請求の範囲】
【請求項１】
二枚以上の原紙シートが重ねられたシート製品であって、
シート面に点線状のラインエンボスで区切られた複数の区画からなる模様が形成されており、かつ、前記ラインエンボスの凸部に付与された糊を介して隣接する原紙シート同士が接着されている、ことを特徴とするエンボス付与シート製品。
【請求項２】
ラインエンボスが形成された原紙シートに、ラインエンボスよりも深さが浅く隣接する原紙シートに対して接着されないマイクロエンボスが形成され、かつ、このマイクロエンボスの付与範囲と非付与範囲とが、前記ラインエンボスにより形成される区画単位毎に分けられている請求項１記載のエンボス付与シート製品。
【請求項３】
ラインエンボスが形成された原紙シートと、このラインエンボスよりも深さが浅いマイクロエンボスのみが形成されている原紙シートと、が重ねられている請求項１または２記載のエンボス付与シート製品。
【請求項４】
隣接する原紙シートに形成されたラインエンボスの凸部同士が接触していない請求項１〜３の何れか１項に記載のエンボス付与シート製品。
【請求項５】
隣接する原紙シートに形成されたラインエンボスの凸部同士が突き合わされて接着されている請求項１〜４の何れか１項に記載のエンボス付与シート製品。
【請求項６】
マイクロエンボス非付与部分の面積が、シート表面積のうちの１５％以上を占めている請求項１〜５の何れか１項に記載のエンボス付与シート製品。
【請求項７】
マイクロエンボス非付与部分に、文字・図形として認識される図案エンボスが設けられている請求項１〜６の何れか１項に記載のエンボス付与シート製品。
【請求項８】
原紙シート中にＢＣ−ＴＭＰが５〜３５重量％含まれている請求項１〜７の何れか１項に記載のエンボス付与シート製品。
【請求項９】
ＪＩＳ  Ｐ  ４５０１で規定されたほぐれやすさに基づいて測定される水解性が２０〜８０秒である請求項１〜８の何れか１項に記載のエンボス付与シート製品。
【発明の詳細な説明】
【技術分野】
【０００１】
本発明は、エンボスによって図柄が表現されたエンボス付与シート製品に関する。
【背景技術】
【０００２】
ティッシュペーパー、トイレットペーパー、キッチンペーパー、および化粧用紙といった紙製のシート製品は、パルプ等からなる原紙シートを複数枚重ねて貼り合わせた形態で消費者に提供される。そして、これらのシート製品の主な用途は液体等を拭き取ることであり、その品質には特に嵩高性および吸液性が要求される。この種の原紙シート間に空間を形成して嵩高性および吸液性を高めるべくエンボスを付与することが行われる。
【０００３】
エンボス加工の形態のうち、嵩高性および吸液性を高めるにあたって有効とされているのが、原紙シートに比較的深いエンボスを付与してその凸部に接着剤を塗布し、隣接する原紙シートに接着させる形態のエンボス加工である。この形態は、原紙シート間に形成される空間が大きくなるため嵩高性および吸液性に優れたものとなる。
【０００４】
ところで、一般に人間は、視覚的に認識した見た目のイメージによって行動を左右され易く、例えば、美粧性に優れた商品は抵抗感無く購入し易いものである。このため、上述のエンボス加工を行うにあたっては、エンボス凸部が所定の規則性や対称性等をもつように配置して図柄を構成するようにして、その意匠性を良くするようにするのが一般的である。これは、規則性や対称性をもって近接配置された複数のエンボス凸部を、まとめて一つの図形や図柄と認識する人間の視覚的性質を利用したものである。
【０００５】
そして、特に、かかるエンボス模様は、シート面全体に施されていると、一般的には華やかで高級感のあるイメージとなり、需要者のいっそうの購買意欲の向上が図られるとされている。
【特許文献１】特開２００２−１７２０７２
【発明の開示】
【発明が解決しようとする課題】
【０００６】
しかしながら、上述の接着形態のエンボスは、嵩高さや吸収性を向上させ、また、エンボス模様による美粧性の向上にも寄与するが、接着剤で接着する構成をとるため、ごわついた感じになりやすく、特にシート面の広範囲に設けると柔らかさや水解性を低下させるという欠点があった。
【０００７】
そこで、本発明の課題は、嵩高であるとともに手肉感があり、しかも吸収性、柔らかさに優れ、さらには従来にはない高級感のある美粧性をも備えるエンボス付与シート製品を提供することにある。
【課題を解決するための手段】
【０００８】
上記課題を解決した本発明は次記の通りである。
＜請求項１記載の発明＞
二枚以上の原紙シートが重ねられたシート製品であって、
シート面に点線状のラインエンボスで区切られた複数の区画からなる模様が形成されており、かつ、前記ラインエンボスの凸部に付与された糊を介して隣接する原紙シート同士が接着されている、ことを特徴とするエンボス付与シート製品。
【０００９】
＜請求項２記載の発明＞
ラインエンボスが形成された原紙シートに、ラインエンボスよりも深さが浅く隣接する原紙シートに対して接着されないマイクロエンボスが形成され、かつ、このマイクロエンボスの付与範囲と非付与範囲とが、前記ラインエンボスにより形成される区画単位毎に分けられている請求項１記載のエンボス付与シート製品。
【００１０】
＜請求項３記載の発明＞
ラインエンボスが形成された原紙シートと、このラインエンボスよりも深さが浅いマイクロエンボスのみが形成されている原紙シートと、が重ねられている請求項１または２記載のエンボス付与シート製品。
【００１１】
＜請求項４記載の発明＞
隣接する原紙シートに形成されたラインエンボスの凸部同士が接触していない請求項１〜３の何れか１項に記載のエンボス付与シート製品。
【００１２】
＜請求項５記載の発明＞
隣接する原紙シートに形成されたラインエンボスの凸部同士が突き合わされて接着されている請求項１〜４の何れか１項に記載のエンボス付与シート製品。
【００１３】
＜請求項６記載の発明＞
マイクロエンボス非付与部分の面積が、シート表面積のうちの１５％以上を占めている請求項１〜５の何れか１項に記載のエンボス付与シート製品。
【００１４】
＜請求項７記載の発明＞
マイクロエンボス非付与部分に、文字・図形として認識される図案エンボスが設けられている請求項１〜６の何れか１項に記載のエンボス付与シート製品。
【００１５】
＜請求項８記載の発明＞
原紙シート中にＢＣ−ＴＭＰが５〜３５重量％含まれている請求項１〜７の何れか１項に記載のエンボス付与シート製品。
【００１６】
＜請求項９記載の発明＞
ＪＩＳ  Ｐ  ４５０１で規定されたほぐれやすさに基づいて測定される水解性が２０〜８０秒である請求項１〜８の何れか１項に記載のエンボス付与シート製品。
【発明の効果】
【００１７】
本発明によれば、点線状のラインエンボスによって原紙シート間の空間が確保されるため嵩高感があり、吸水性にも優れるものとなる。また、ラインエンボスをシート面に直線あるいは曲線の点線状に配したので柔らかさが損なわれることもない。
【００１８】
本発明における点線状とは、１点破線、２点破線等を含む不連続線状であることをいう。
【００１９】
ここで、点線状のラインエンボスで区切られた複数の区画からなる模様とは、シート面に配された単数本あるいは複数本の点線状のラインエンボス同士の交差、接触によってシート面に形成される複数の区画が、規則的あるいは不規則的に配列されてなる模様である。また区画にはラインエンボスとシート製品の縁で囲まれる区画をも含む。
【００２０】
他方、マイクロエンボスを付与することにより、いっそうの手肉感と滑らかさが確保される。このマイクロエンボスを設けるにあたって、マイクロエンボスの付与範囲と非付与範囲とを、ラインエンボスにより形成される区画単位毎に分けられるようにすると、マイクロエンボスが付与されている範囲の縁が深いラインエンボスでしっかりと縁取られ、マイクロエンボス非付与部分との相違がはっきりして、視覚的に陰影のある高級感のある美粧性が発現する。
【００２１】
また、マイクロエンボス非付与部分も突合エンボスで囲まれた一模様として視認されるため、シート面全体に模様が施された感じとなり、高級感のあるシート製品となる。
【００２２】
なお、「ラインエンボスの凸部に付与された糊を介して隣接する原紙シート同士が接着されている」とは、ラインエンボスが形成された原紙シートに対して隣接する原紙シートが二枚ある場合には、何れか一方の原紙シートに対して接着されていればよいことを意味する。
【００２３】
他方、ラインエンボスが形成された原紙シートと、このラインエンボスよりも深さの浅いマイクロエンボスのみが形成されている原紙シートと、を重ねあわせた構成とすることもできる。一つの原紙シートに複数種類のエンボスを付与する必要なく製造でき、しかもマイクロエンボスによる滑らかさ感や手肉感と、ラインエンボスによる嵩高感を発現することができる。特に、マイクロエンボス付与は、一枚の原紙シート全体に施すほうが容易であるため、製造が容易となる点で有利である。
【００２４】
さらに、隣接する原紙シートに形成されたラインエンボスの凸部同士が接触していない構成とすることができる。すなわち、一の原紙シートのラインエンボスの凸部が、隣接する他の原紙シートに形成されているラインエンボスの凸部あるいは凹部以外の部位に接着されている。このようにすると、例えば、表裏面で異なる図柄の美粧性を備えるシート製品とすることができる。
【００２５】
さらに、隣接する原紙シートに形成されたラインエンボスの凸部同士が突き合わされて接着されているシート製品は、原紙シート間の空隙が大きく、嵩高感および吸水性により優れたものとなる。
【００２６】
ここで、マイクロエンボス非付与部分の面積を、シート表面積の１５％以上設けるのが好適である。マイクロエンボス非付与部分は、隣接する原紙シート同士の距離が遠いので、原紙シート間に大きな空間が形成される。このためこの空間に多くの水分を瞬間的に受け入れることが可能となり、吸水性が確実に確保できるようになる。
【００２７】
他方、マイクロエンボス非付与部分に、文字・図形として認識される図案エンボスが設けると、より美粧性の向上が図られる。
【００２８】
また、原紙シート中にＢＣ−ＴＭＰが５〜３５重量％含まれていると、嵩がでやすくなる。
【００２９】
さらに、ＪＩＳ  Ｐ  ４５０１で規定されたほぐれやすさに基づいて測定される水解性が２０〜８０秒であると、特に、トイレットペーパーとしての使用に好適となる。
【００３０】
まとめてみると、本発明によれば、嵩高であるとともに手肉感があり、吸収性に優れ、柔らかさもあり、さらには従来にはない高級感のある美粧性をも備えるエンボス付与シート製品が提供される。
【発明を実施するための最良の形態】
【００３１】
以下、本発明の実施の形態を説明する。本発明に係るシート製品は、少なくとも２枚以上の紙などからなる原紙シートが重ねられた形態を採る。重ねられる原紙シートの枚数は特に限定されるものではなく、例えば２枚、３枚、４枚、それ以上と適宜変更することができる。
【００３２】
また、原紙シートは、いわゆる薄葉紙であって坪量１１〜３０ｇ／ｍ2のもの、特に１３〜１７ｇ／ｍ2のものが好適である。また、原紙シートは、ＮＢＫＰ、ＬＢＫＰ、ＢＣ−ＴＭＰ、古紙パルプ等を製品に応じて適当の割合で配合した原料パルプを抄紙してなる一般的な原紙を用いることが可能である。なかでも、ＢＣ−ＴＭＰ（ケミサーモメカニカルパルプ（Ｃ−ＴＭＰ）を漂白したブリーチドケミサーモメカニカルパルプ）を５〜３５％、好適には１０〜２０％、特に好適には１５〜２５％配合した原料パルプを抄紙してなる原紙を用いるのが好適である。
【００３３】
さらに、原紙シートの物性としては、シート製品がトイレットペーパー、フェイシャルティシュである場合には縦強度（ＭＤＴ）が７５〜５００ｃＮ／２５ｍｍ、横強度（ＣＤＴ）が２０〜２００ｃＮ／２５ｍｍであり、縦伸び（ＭＤＳ）が１０〜３０％（測定はＪＩＳ Ｐ ８１１３に準拠）であることが好ましい。また（２）その他のシート製品（ペーパータオル）の場合には１プライのペーパーシート（原紙）の縦強度（ＭＤＴ）が８００〜３０００ｃＮ／２５ｍｍ、横強度（ＣＤＴ）が５００〜２０００ｃＮ／２５ｍｍであり、縦伸び（ＭＤＳ）が５〜３０％（測定はＪＩＳ Ｐ ８１１３に準拠）であることが好ましい。原紙強度が、これらの下限値以下ではシートの破断等が起き、上限値以上では風合いが悪化する。またシートの伸びがこれらの下限値以下ではシートの破断等が起き、上限値以上では、シートにしわ等が発生して操業性が悪化する。
【００３４】
（第１の実施の形態）
以下２枚の原紙シートが重ねられたシート製品の形態について、図１および２を参照しながら詳述するが、この形態に限定されるわけではない。
【００３５】
本形態のシート製品Ｘは、一方の原紙シートＳ１に、点線状のラインエンボスＥ１により、多数の円がその周縁部を交差させつつ規則的に配列してなる模様が描かれている。かかる円を規則的に配列させた模様は、図示例の如くシート面にラインエンボスＥ１で形成される区画ａ〜ｆを形成する。本形態では、これら区画のうち区画ａ〜ｄ内全体にラインエンボスＥ１よりも深さが浅いマイクロエンボスＭが付与され、区画ｅ〜ｆにはマイクロエンボスＭ１が付与されていない。マイクロエンボスＭ１は、１０〜８０個／ｃｍ2のエンボス密度、０．２〜２．０ｍｍのエンボス深さ、とするのが好適である。
【００３６】
本形態では採用していないが、比較的面積が広いマイクロエンボス非付与区画内（例えば、図示例の模様であれば区画ｅ）に、ロゴマーク、数字、文字、幾何学模様などから適宜選択される図案エンボスを付与することができる。図案エンボスのエンボス深さは、ラインエンボスＥ１と同じかあるいはそれより浅い範囲で、適宜定めればよい。
【００３７】
一方、原紙シートＳ２には、ラインエンボスは付与されておらず、その全面にマイクロエンボスＭ２が施されている。原紙シートＳ２に施すマイクロエンボスＭ２も、原紙シートＳ１と同様に、１０〜８０個／ｃｍ2のエンボス密度、０．２〜２．０ｍｍのエンボス深さ、とするのが好適である。
【００３８】
他方、特に、図２に示すように、原紙シートＳ１，Ｓ２はシート面が表裏逆に対面しており、ラインエンボス凸面とマイクロエンボス凸面とが近接して向い合っており、従ってエンボス凹面同士も向い合っている。このように各原紙シートＳ１，Ｓ２に、それぞれ単独でエンボス加工が施され、かつ凸部面同士が対面していることにより、各原紙シートを重ね合わせてできるシート製品Ｘの嵩高性が向上され、シートの吸収性や柔らか味が良好なものとされる。そして、特に、本形態では、原紙シートＳ１のラインエンボスＥ１の高さが、原紙シートＳ１およびＳ２に付与されたマイクロエンボスＭ１，Ｍ２よりも高いため、マイクロエンボス付与部分面においても空隙ができる。もって、嵩高感、吸水性を備えつつ滑らかさ、使用感のあるものとなる。
【００３９】
また、前記ラインエンボスＥ１の凸部頭頂部Ｅｔには、糊Ｇ１が付与されており、この糊Ｇ１によって両原紙シートＳ１，Ｓ２が接着されている。従って、シート面でみると糊がベタ付与とならず点線状に付与されるため、糊に起因する柔らかさや吸収性の低下がほとんどない。
【００４０】
ここで、糊Ｇ１の具体例としては、例えば、ＰＶＡ（ポリビニルアルコール）、ＣＭＣ（カルボキシメチルセルロース）等の従来既知のシート製品に用いられている糊を用いることができる。また、この糊に対して、既知のインキ、染料、顔料等の着色剤を接着用糊に混合して着色したものを使用することもできる。
【００４１】
原紙シートＳ１に対する前記糊Ｇ１の塗布量としては、例えば、シート製品Ｘがトイレットロールであれば０．０１〜０．１８ｇ／ｍ2とするのが望ましい。０．１８ｇ／ｍ2を超えると、ごわつくようになり、０．０１ｇ／ｍ2未満であると原紙シート同士の接着が不十分となる。なお、糊の塗布量は、シート製品の種類に応じて適宜増減することができる。
【００４２】
なお、原紙シートＳ１，Ｓ２のＪＩＳ  Ｐ  ８１３８に基づく不透明度は、３０〜８０％、望ましくは６０〜７０％とするのが好適である。
【００４３】
以上説明の本形態のシート製品Ｘを製造するにあたっては、例えば、次記のようにして行うことができる。図３に示すように、図示しない供給リールから二枚の原紙シートＳ１、Ｓ２が繰り出されている。原紙シートＳ１、Ｓ２は、原紙シートＳ１用、原紙シートＳ２用にそれぞれ設置されたエンボスを付与するための、金属製凸エンボスロール１Ａ，１Ｂとゴム製抑えロール２Ａ，２Ｂとの一対で構成されるエンボスロール１，２に通される。
【００４４】
原紙シートＳ２用のエンボスロール１Ｂ、２Ｂは、マイクロエンボス加工ロールであり、滑らかさ、使用感、嵩高感の向上という観点から、原紙シートＳ２に対して好ましくは６０％以上、より好ましくは９０％以上の全領域にわたってマイクロエンボス加工が施される。
【００４５】
一方、原紙シートＳ１用エンボスロール１Ａ，２Ａは、高さの異なる二種類以上のエンボスパターンを有する金属エンボスロール１Ａが採用されている。すなわち、高さの高いラインエンボスＥ１用のパターンと、それもよも浅いマイクロエンボスＭ１用のパターンが設けられている。従って、原紙シートＳ１は、かかるエンボスロール内を通すことによって、ラインエンボスＥ１とこれで区切られる区画内に配されるマイクロエンボスＭ１とが同時に施される。
【００４６】
原紙シートＳ１、Ｓ２は、エンボスロール１，２間を通り抜けて各エンボスＥ１，Ｍ１，Ｍ２が付与されたのちには、金属エンボスロール１Ａ，１Ｂに沿ってガイドされてそれぞれ移動し、ゴム製抑えロール２Ａ，２Ｂのみからそれぞれ離間される。そして金属エンボスロール１Ａ，１Ｂのみにそれぞれガイドされた状態となる。このときに、原紙シート１のエンボス付与ラインに設けられたドクターチャンバー方式を用いたグルーユニット３Ｂによって、原紙シートＳ１に施したラインエンボスのＥ１エンボス凸部頭頂部Ｅｔ１に糊が転写されて塗布される。
【００４７】
その後、両原紙シートＳ１，Ｓ２は、重ね合せロール４に導かれる。そしてこの重ね合せロール４で、両原紙シートＳ１，Ｓ２が、原紙シートＳ１のラインエンボス凸面と原紙シートＳ２のマイクロエンボス凸面とが対面するようにして重ねられるとともに、ラインエンボスＥの凸部Ｅｔに付与された糊を介して接着される。
【００４８】
かくして、シート製品Ｘの表面（原紙シートＳ１面）に点線状のラインエンボスＥで区切られた複数の区画Ａ〜Ｆを備える従来にはない美粧性のある模様が形成され、かつ、前記ラインエンボスＥの凸部に付与された糊を介して隣接する原紙シート同士が接着されている、嵩高感、吸水性に優れたシート製品Ｘが製造される。
【００４９】
（第２の実施の形態）
上記第１の形態は、原紙シートＳ１にラインエンボスＥ１とマイクロエンボスＭ１を施し、原紙シートＳ２にマイクロエンボスＭ２のみを施した形態であるが、図４および図５に示すように、各原紙シートＳ１，Ｓ２に、同じ模様のラインエンボスＥ１、Ｅ２およびマイクロエンボスＭ１，Ｍ２を施し、当該ラインエンボスＥ１，Ｅ２の凸部Ｅｔ１，Ｅｔ２同士を重ねるようにして原紙シートＳ１，Ｓ２を接着する、いわゆるＴｉｐ  ｔｏ  Ｔｉｐの形態のシート製品Ｘ２の形態とすることもできる。
【００５０】
（その他）
本発明にかかるシート製品のエンボス模様は、例えば図６に示されるように構成することもできる。本発明のシート製品は、要は、シート面に配された単数本あるいは複数本の点線状のラインエンボスＥ同士の交差、接触によってシート面に形成される複数の区画Ｕが、規則的あるいは不規則的に配列されてなる模様を備える。そして、マイクロエンボスＭの付与範囲と非付与範囲とが前記ラインエンボスＥにより形成される区画単位毎に分けられている。さらに、マイクロエンボスＭの非付与範囲区画内に、文字・図形として認識され図案エンボスＧが付与されている。各図１、３または６からも明らかなように、このようなエンボス模様は、非常に美粧性に優れる。
【実施例】
【００５１】
次いで、本発明の実施例を示す。
（実施例１）
白色の原紙シートの二枚を用意し、一方の原紙シートの全体にマイクロエンボスを付与し、他方の原紙シートに点線状のラインエンボスとマイクロエンボスからなる模様を付与するとともにラインエンボスの凸部頭頂部に糊を付与し、その後にラインエンボスの凸部がマイクロエンボスの凸面に向い合うように重ねて両原紙シートを張り合わせた。さらにその後にこの重ね合わせたシートを巻取って、２プライ、巻長さ２３ｍ、巻径１１５ｍｍΦのトイレットペーパーを作成した。
【００５２】
なお、原紙シートは、Ｎ-パルプ／Ｌ-パルプ／ＢＣ−ＴＭＰを３０／６０／１０の割合で配合した原料パルプ、一過性湿潤紙力剤を６．０ｋｇ／パルプｔ、柔軟保湿剤（日本油脂製「コールパーザー  ＳＦ−Ｂ２０」）を２．０ｋｇ／パルプｔを含み、ＣＳＦを６５５ｃｃに調整した原料を抄紙して形成した。
【００５３】
また、ラインエンボスおよびマイクロエンボスを同時に付与した原紙シートの模様は、図１に示すようにラインエンボスにより、複数の円の縁部同士を重ねて形成された区画Ａ〜Ｅと、これら区画のうち区画ａ〜ｄにマイクロエンボスが付与された模様である。
【００５４】
このトイレットペーパー紙は、坪量３４．０ｇ／ｍ2、乾燥引張強度（縦）４５０ｃＮ／２５ｍｍ、乾燥引張強度（横）２００ｃＮ／２５ｍｍ、吸水量が４００ｇ／ｍ2、さらに水解性が３０ｓｅｃであり、しかも、厚み感、滑らかさ感、柔らかさに優れるトイレットペーパーとしての機能に優れるものであった。そしてさらに、マイクロエンボス付与部分と非付与部分による陰影が発現された美粧性を有し、高級感のあるトイレットペーパーとなった。
【００５５】
なお、本発明における吸水量の測定は、網に１０ｃｍ四方に裁断した試料を載せ、網ごと水の入った容器に試料を浮かせ、十分に水が浸透した後に引き上げ、３０秒間放置した後試料の重量を測定する。その測定された重量から乾燥時の試料の重さ引いた値を、１００ｃｍ四方の試料で測定したものに換算した値を吸水量とする。
【００５６】
（実施例２）
白色の原紙シートの三枚を用意し、１枚の原紙シートの表裏面にラインエンボスを付与するとともにこのラインエンボスの凸部頭頂部に糊を付与した。一方、二枚の原紙シートにマイクロエンボスを付与するとともに、各原子シートを前記ラインエンボス付与原紙シートの表裏面に重ねて各原紙シートを張り合わせた。さらにその後にこの重ね合わせたシートを巻取って、３プライ、巻長さ２０ｍ、巻径１１５ｍｍΦのトイレットペーパーを作成した。
【００５７】
なお、原紙シートは、Ｎ-パルプ／Ｌ-パルプ／ＢＣ−ＴＭＰを３０／６０／１０の割合で配合した原料パルプ、一過性湿潤紙力剤を６．０ｋｇ／パルプｔ、柔軟保湿剤（日本油脂製「コールパーザー  ＳＦ−Ｂ２０」）を２．０ｋｇ／パルプｔを含み、ＣＳＦを６５５ｃｃに調整した原料を抄紙して形成した。
【００５８】
また、ラインエンボスによる模様は、上記実施例１と同様に複数の円の縁部同士を重ねて形成された区画ａ〜ｆを備える模様である。
【００５９】
原紙シートは、このトイレットロール紙は、坪量３９．０ｇ／ｍ2、乾燥引張強度（縦）４５０ｃＮ／２５ｍｍ、乾燥引張強度（横）２００ｃＮ／２５ｍｍ、吸水量が４２０ｇ／ｍ2、さらに水解性が２８ｓｅｃであった。厚み感、滑らかさ感、柔らかさに優れ、トイレットペーパーとしての機能に優れるものであった。
【００６０】
（評価試験）
上記本発明の実施例１および２と、比較例１および２と、従来製品１および２について、各種試験および官能評価を行った。試験項目、評価項目および結果は表１に示す。なお、比較例１、従来製品１および２は、原紙シート同士を接着するエンボスが非ライン状であり、比較例２は、いわゆるNested方式のエンボス加工を施したものである。
【００６１】
【表１】
2006280616.tif 000003
【００６２】
本発明の実施例１および２は、４００ｇ／ｍ2の十分な吸水性を確保しつつ、他の製品よりも、厚み感、柔らかさおよび滑らかさの各官能評価で他のものよりも優れる、という結果となった。
【産業上の利用可能性】
【００６３】
本発明は、上記実施の形態に限定されることなく、種々の改良並びに設計の変更を行うことが可能である。すなわち、薄葉紙等の原紙シートを二枚以上重ねてなるトイレットペーパーのほか、キッチンペーパー、ティッシュペーパー、化粧拭取り紙等に利用可能である。
【図面の簡単な説明】
【００６４】
【図１】第１の実施の形態にかかるシート製品の概略斜視図である。
【図２】第１の実施の形態にかかるシート製品の概略断面図である。
【図３】本発明のシート製品の製造装置の概略図である。
【図４】第２の実施の形態にかかるシート製品の概略斜視図である。
【図５】第２の実施の形態にかかるシート製品の概略断面図である。
【図６】第３の形態のシート製品Ｘ３のエンボスパターンを示す正面図である。
【符号の説明】
【００６５】
１Ａ，１Ｂ…金属エンボスロール、２Ａ，２Ｂ…ゴム製押さえロール、３Ａ，３Ｂ…接着剤塗布装置、４…重ねロール、Ｓ１，Ｓ２…原紙シート、Ｌ１，Ｌ２…ラインエンボス、Ｍ１，Ｍ２…マイクロエンボスＧ１…糊、Ｍ…マイクロエンボス、Ｘ１，Ｘ２，Ｘ３…シート製品。
【図１】
2006280616.tif 000004
【図２】
2006280616.tif 000005
【図３】
2006280616.tif 000006
【図４】
2006280616.tif 000007
【図５】
2006280616.tif 000008
【図６】
2006280616.tif 000009
【手続補正書】
【提出日】平成17年4月1日(2005.4.1)
【手続補正１】
【補正対象書類名】明細書
【補正対象項目名】００６１
【補正方法】変更
【補正の内容】
【００６１】
【表１】
2006280616.tif 000010